(57)【要約】      （修正有）【課題】足の疲労をより緩和することが可能なサポートテープを提供する。【解決手段】サポートテープ１０は、粘着面を有するテープ本体を備える。そのテープ本体は、足底の略中央に貼られる中央部２１と、中央部から側方に延び、且つ足背の少なくとも一部を包囲するように貼られる帯状の側部２２と、中央部から後方に延び、且つ足首の少なくとも一部を包囲するように貼られる帯状の尾部２３とを備える。【選択図】図１
0003182459.tif 000002
【実用新案登録請求の範囲】
【請求項１】
粘着面を有するテープ本体を備えるサポートテープであって、
前記テープ本体が、
足底の略中央に貼られる中央部と、
前記中央部から側方に延び、且つ足背の少なくとも一部を包囲するように貼られる帯状の側部と、
前記中央部から後方に延び、且つ足首の少なくとも一部を包囲するように貼られる帯状の尾部と
を備える、
サポートテープ。
【請求項２】
前記側部が斜め前方に延びている、
請求項１に記載のサポートテープ。
【請求項３】
前記側部と前記尾部との成す角度が１０５〜１３５°である、
請求項２に記載のサポートテープ。
【請求項４】
前記側部が、前記テープ本体の前後方向に延びる軸と直交する方向に延びている、
請求項１に記載のサポートテープ。
【請求項５】
前記側部が前記中央部の左右それぞれから延びている、
請求項１〜４のいずれか一項に記載のサポートテープ。
【請求項６】
前記側部が前記中央部の左右のどちらか一方のみから延びている、
請求項１〜４のいずれか一項に記載のサポートテープ。
【請求項７】
前記尾部が、前記テープ本体の前後方向に延びる軸に沿って延びている、
請求項１〜６のいずれか一項に記載のサポートテープ。
【請求項８】
前記尾部が斜め後方に延びている、
請求項１〜６のいずれか一項に記載のサポートテープ。
【請求項９】
前記尾部が、前記中央部の後部左側及び後部右側のそれぞれから延びている、
請求項１〜８のいずれか一項に記載のサポートテープ。
【請求項１０】
前記中央部の後部左側及び後部右側のそれぞれから延びている二つの前記尾部の端部が、切り離し可能な状態で繋がっている、
請求項９に記載のサポートテープ。
【請求項１１】
前記尾部が、前記中央部の後部左側及び後部右側のどちらか一方のみから延びている、
請求項１〜８のいずれか一項に記載のサポートテープ。
【請求項１２】
前記テープ本体の前後方向の伸張性の方が該テープ本体の横方向の伸張性より高い、
請求項１〜１１のいずれか一項に記載のサポートテープ。
【請求項１３】
前記粘着面を保護するシートを更に備え、
前記シートが、前記中央部と前記側部とを分けるように形成された切れ目と、前記中央部と前記尾部とを分けるように形成された切れ目とを有する、
請求項１〜１２のいずれか一項に記載のサポートテープ。
【請求項１４】
前記シートが、前記側部の先端付近に形成された切れ目を更に有する、
請求項１３に記載のサポートテープ。
【請求項１５】
前記シートが、前記尾部の先端付近に形成された切れ目を更に有する、
請求項１３又は１４に記載のサポートテープ。
【請求項１６】
前記シートに、各切れ目に沿って線が印刷された、
請求項１３〜１５のいずれか一項に記載のサポートテープ。
【考案の詳細な説明】
【技術分野】
【０００１】
本考案の一形態はサポートテープに関する。
【背景技術】
【０００２】
従来から、足底をサポートするテープが知られている。例えば、下記特許文献１には、一方表面に粘着層をもつ強靭なシート材により形成され、足底部に適用されるテーピング用具が記載されている。
【先行技術文献】
【特許文献】
【０００３】
【特許文献１】実公平１―９５５３号公報
【考案の概要】
【考案が解決しようとする課題】
【０００４】
しかし、上記テーピング用具により足底部の筋肉や靭帯を補強したとしても、足の疲労を緩和するには不十分なことがある。そのため、足の疲労をより緩和することが可能なサポートテープが望まれている。
【課題を解決するための手段】
【０００５】
本考案の一形態に係るサポートテープは、粘着面を有するテープ本体を備えるサポートテープであって、テープ本体が、足底の略中央に貼られる中央部と、中央部から側方に延び、且つ足背の少なくとも一部を包囲するように貼られる帯状の側部と、中央部から後方に延び、且つ足首の少なくとも一部を包囲するように貼られる帯状の尾部とを備える。
【０００６】
このような形態によれば、テープ本体の中央部が足底の略中央の部分に貼られると共に、その中央部から延びる側部が足背の少なくとも一部を包囲するように貼られるので、足底筋膜が保護され且つそのアーチ（土踏まず）がより確実に維持される。加えて、中央部から延びる帯状の尾部が足首の少なくとも一部を包囲するので、踵の不要な動きが抑制される。このように、サポートテープを適用することで足底筋膜が保護及び維持されると共に踵が安定するので、足の疲労をより緩和することができる。
【０００７】
別の形態に係るサポートテープによれば、側部が斜め前方に延びていてもよい。
【０００８】
さらに別の形態に係るサポートテープでは、側部と尾部との成す角度が１０５〜１３５°であってもよい。
【０００９】
さらに別の形態に係るサポートテープでは、側部が、テープ本体の前後方向に延びる軸と直交する方向に延びていてもよい。
【００１０】
さらに別の形態に係るサポートテープでは、側部が中央部の左右それぞれから延びていてもよい。
【００１１】
さらに別の形態に係るサポートテープでは、側部が中央部の左右のどちらか一方のみから延びていてもよい。
【００１２】
さらに別の形態に係るサポートテープでは、尾部が、テープ本体の前後方向に延びる軸に沿って延びていてもよい。
【００１３】
さらに別の形態に係るサポートテープでは、尾部が斜め後方に延びていてもよい。
【００１４】
さらに別の形態に係るサポートテープでは、尾部が、中央部の後部左側及び後部右側のそれぞれから延びていてもよい。
【００１５】
さらに別の形態に係るサポートテープでは、中央部の後部左側及び後部右側のそれぞれから延びている二つの尾部の端部が、切り離し可能な状態で繋がっていてもよい。
【００１６】
さらに別の形態に係るサポートテープでは、尾部が、中央部の後部左側及び後部右側のどちらか一方のみから延びていてもよい。
【００１７】
さらに別の形態に係るサポートテープでは、テープ本体の前後方向の伸張性の方が該テープ本体の横方向の伸張性より高くてもよい。
【００１８】
さらに別の形態に係るサポートテープでは、粘着面を保護するシートを更に備え、シートが、中央部と側部とを分けるように形成された切れ目と、中央部と尾部とを分けるように形成された切れ目とを有してもよい。
【００１９】
さらに別の形態に係るサポートテープでは、シートが、側部の先端付近に形成された切れ目を更に有してもよい。
【００２０】
さらに別の形態に係るサポートテープでは、シートが、尾部の先端付近に形成された切れ目を更に有してもよい。
【００２１】
さらに別の形態に係るサポートテープでは、シートに、各切れ目に沿って線が印刷されてもよい。
【考案の効果】
【００２２】
本考案の一側面によれば、足の疲労をより緩和することが可能なサポートテープを提供することができる。
【図面の簡単な説明】
【００２３】
【図１】実施形態に係るサポートテープの正面図である。
【図２】図１に示すサポートテープと足との位置関係を示す図である。
【図３】図１に示すサポートテープが貼られた状態におけるサポートテープと足との位置関係を示す図である。
【図４】図１に示すサポートテープの背面図である。
【図５】切れ目上に太線が印刷された状態を示すサポートテープの背面図である。
【図６】図１に示すサポートテープと足との位置関係を示す図である。
【図７】図１に示すサポートテープが貼られた状態を示す図である。
【図８】サポートテープの一変形例を示す正面図である。
【図９】サポートテープの他の変形例を示す正面図である。
【図１０】サポートテープの他の変形例を示す正面図である。
【図１１】サポートテープの他の変形例を示す正面図である。
【図１２】サポートテープの他の変形例を示す正面図である。
【考案を実施するための形態】
【００２４】
以下、添付図面を参照しながら本考案の実施形態を詳細に説明する。なお、図面の説明において同一又は同等の要素には同一の符号を付し、重複する説明を省略する。
【００２５】
まず、図１〜５を参照しながら、実施形態に係るサポートテープ１０の構成を説明する。図１はサポートテープ１０の正面図である。図２はサポートテープ１０と足との位置関係を示す図である。図３はサポートテープ１０が貼られた状態におけるサポートテープ１０と足との位置関係を示す図である。図４，５はサポートテープ１０の背面図であり、図５は切れ目上の太線を更に示すものである。
【００２６】
本明細書では、正面図（図１）において、外側に膨らんでいる中央部２１の外縁２１ａがある方をサポートテープ１０の前方（貼付時におけるつま先側）と定義し、その反対側をサポートテープ１０の後方（貼付時における踵側）と定義する。
【００２７】
サポートテープ１０は、人の足底筋膜を支持するためのテープであり、足の疲労を緩和することを目的に用いられる。このサポートテープ１０はテープ本体２０及び剥離紙３０による二層構造を成している。
【００２８】
テープ本体２０は、樹脂含浸処理が施された織布の片面に粘着剤が塗布されることで形成される。例えば、綿とウレタンとの混紡により作製された織布にパラフィン系の樹脂を含浸させ、当該織布の片面にアクリル系、シリコン系、又はゴム系の粘着剤を塗布することでテープ本体２０を作製することができる。もっとも、テープ本体２０を構成する織布、樹脂、及び粘着剤はこれらに限定されず、それぞれにおいて任意の材料を用いてよい。テープ本体２０は、前後方向（足の長手方向）に沿って伸びやすく、横方向（足の幅方向）に沿って伸びにくいように加工されている。すなわち、テープ本体２０の前後方向における伸張性の方がその横方向の伸張性よりも高い。
【００２９】
剥離紙３０は、テープ本体２０の粘着面を保護するために当該粘着面上に貼られるシートであり、この剥離紙３０にはシリコン処理が施されている。なお、粘着面を保護するために別の部材を用いてもよく、例えば剥離処理されたフィルムを剥離紙３０に代えて採用してもよい。
【００３０】
テープ本体２０と剥離紙３０とは全体の形状が同じであるので、以下ではテープ本体２０の形状について説明する。図１に示すように、テープ本体２０は、足底の略中央に貼られる中央部２１と、その中央部２１の左右それぞれから延びる側部２２と、その中央部２１の後部左側及び後部右側からそれぞれ延びる尾部２３とを備えている。テープ本体２０はその前後方向に沿った線を対称軸として線対称をなすように形成されている。
【００３１】
図２に示すように、中央部２１はアーチ（土踏まず）を覆う程度の大きさを有する。中央部２１の前方の外縁２１ａを外側に膨ませることで、中央部２１の貼付面積が大きくなるので、その分、足底においてテープ本体２０をより確実に貼り付けることができる。
【００３２】
各側部２２はいずれも帯状である。各側部２２は中央部２１から真横に延びるのではなく、斜め前方に向かって直線状に延びている。テープ本体２０の使用時には、一対の側部２２は足背の全体又は一部を包囲するように該足背に貼られる。本実施形態では一対の側部２２の長さは同じであるが、二つの側部２２の長さが異なっていてもよい。
【００３３】
各尾部２３はいずれも帯状であり、中央部２１から真後ろに向かって（テープ本体２０の前後方向に延びる軸に沿って）伸びている。各尾部２３の端部付近は、テープ本体２０の内側に向かって膨らむように形成されている。テープ本体２０の使用時には、一対の尾部２３は足首の全体又は一部を包囲するように該足首に貼られる。図２に示すように、一対の尾部２３の間に形成された空間は踵の位置に対応し、その空間を形成するテープ本体２０の外縁２１ｂはΩ字状を呈している。本実施形態では一対の尾部２３の長さは同じであるが、二つの尾部２３の長さが異なっていてもよい。
【００３４】
側部２２は斜め前方に向かって延びており、尾部２３はテープ本体２０の前後方向に沿って延びているので、側部２２と尾部２３とが成す角は鈍角である。図１に示すその角度θは任意に定めてもよい。または、角度θは１０５°から１３５°の範囲にあってもよい。
【００３５】
側部２２は図３に示すように足底筋膜（不図示）を足背方向に引き上げて保護し、アーチＡを維持する。角度θを１２０°（±１５°程度の範囲）とすることで、アーチＡの前側に連なる中足骨、楔状骨、及び舟状骨を結ぶ軸Ｈに直交する方向Ｖにサポートテープ１０が貼られる。よって、足底筋膜の引き上げ及びアーチＡの維持を最も効果的に達成できることができる。さらに、上記のように角度θを設定すると、図３に示すように側部２２が足首前方の可動部Ｒにかかることが無くなるため、サポートテープ１０の貼付が足関節の可動に影響を与えない。
【００３６】
次に剥離紙３０について説明する。上述したように剥離紙３０の全体形状はテープ本体２０と同じである。図４に示すように、剥離紙３０には、使用者の剥離作業を容易にするためにいくつかの切れ目が形成される。
【００３７】
各尾部２３と中央部２１との境界付近には切れ目４１が形成されている。外縁２１ｂに達している各切れ目４１の端部からは、外縁２１ａと側部２２の上辺との境界付近に向けて切れ目４２が形成されている。この切れ目４２は中央部２１と側部２２とを分けるように形成されているとも言えるし、図６に示すように、足の形状に沿って形成されているとも言える。さらに、各側部２２の先端付近には、端部の外縁と略平行に切れ目４３が形成され、各尾部２３の先端付近には、端部の外縁と略平行に切れ目４４が形成されている。
【００３８】
これらの切れ目４１〜４４によって剥離紙３０は領域３１〜３５に分けられる。領域３１は二つの切れ目４２により区画され、中央部２１を保護する。二つの領域３２はそれぞれ切れ目４１〜４３により区画され、特に側部２２を保護する。二つの領域３３はそれぞれ切れ目４３により区画され、側部２２の先端付近を保護する。二つの領域３４はそれぞれ切れ目４１，４４により区画され、尾部２３を保護する。二つの領域３５はそれぞれ切れ目４４により区画され、尾部２３の先端付近を保護する。
【００３９】
図５に示すように、剥離紙３０には各切れ目に沿って太線５０が印刷されているので、使用者は切れ目の位置を簡単に知ることができる。
【００４０】
上述したサポートテープ１０は、加工された織布の粘着面の全体に剥離紙を貼り付けて一枚のシートを作製し、続いて、太線５０などをその剥離紙に印刷し、続いてそのシートをダイカット（ｄｉｅ  ｃｕｔ）することで作製される。各切れ目４１〜４４はその裁断時にキスカット（ｋｉｓｓ  ｃｕｔ）により形成される。
【００４１】
次に、図６，７をさらに用いて、サポートテープ１０の使用方法を説明する。図６はサポートテープ１０と足との位置関係を示す図である。図７はサポートテープ１０が貼られた状態を示す図である。
【００４２】
使用者は剥離紙３０を部分的に剥がしてテープ本体２０の粘着面の一部を露出させ、その露出部分を適用部分に貼っていく。一例として、使用者はまず剥離紙３０の領域３１を剥がして中央部２１を露出させ、図６に示すようにその中央部２１を足底の略中央に（言い換えれば、土踏まずを覆うように）貼る。続いて、使用者は一方の領域３２を剥がし、粘着面が露出した側部２２を領域３３を持って引っ張りながら、その露出部分を足背に貼る。そして、使用者はその領域３３を剥がして露出部分を皮膚に貼る。使用者は他方の側部２２についても同様に足背に貼る。テープ本体２０は前後方向に伸びやすいので、使用者は中央部２１から斜め前方に延びている側部２２を簡単に伸ばしながら貼ることができる。
【００４３】
続いて、使用者は一方の領域３４を剥がし、粘着面が露出した尾部２３を領域３５を持って引っ張りながら、後方から前方へと足首を包囲するようにその露出部分を貼る。そして、使用者はその領域３５を剥がして露出部分を皮膚に貼る。使用者は他方の尾部２３についても同様に足首に貼る。テープ本体２０は前後方向に伸びやすいので、使用者は中央部２１から後方に延びている尾部２３を簡単に伸ばしながら貼ることができる。
【００４４】
以上の手順により、図７に示すようにサポートテープ１０が使用者の足Ｆに貼られる。なお、各部を貼り付ける順序は上記に限定されるものではなく、別の順序でサポートテープ１０が足に貼られてもよい。
【００４５】
以上説明したように、本実施形態によれば、中央部２１が足底の略中央の部分に貼られると共に、その中央部２１から延びる側部２２が足背の少なくとも一部を包囲するように貼られるので、足底筋膜が保護され且つそのアーチ（土踏まず）がより確実に維持される。使用者は側部２２を引っ張りながら貼ることで側部２２に張力が生じ、この張力により、中央部２１が持ち上がった状態を維持することができる。その結果、足底のアーチをより確実に維持することができる。
【００４６】
加えて、中央部２１から延びる帯状の尾部２３が足首の少なくとも一部を包囲するので、踵の不要な動きが抑制される。使用者は尾部２３を引っ張りながら貼ることで尾部２３に張力が生じるので、この張力により踵がさらに安定する。
【００４７】
このように足底筋膜が保護及び維持されると共に踵が安定することで、踵骨と、親指に至る中足骨の前端と、小指に至る中足骨の前端とを結ぶ三角形が維持されるので、足の疲労をより緩和することができる。
【００４８】
以上、本考案をその実施形態に基づいて詳細に説明した。しかし、本考案は上記実施形態に限定されるものではない。本考案は、その要旨を逸脱しない範囲で様々な変形が可能である。
【００４９】
足底筋膜のアーチを維持し踵の不要な動きを抑制できるのであれば、サポートテープ（テープ本体）の形状は上記実施形態に限定されない。
【００５０】
例えば、図８に示すサポートテープ１０Ａ（テープ本体２０Ａ）のように、一対の尾部２３Ａがその端部において、切り離し可能な状態で互いに繋がっていてもよい。このサポートテープ１０Ａを使う際には、使用者は切取線２４に沿って一対の尾部２３Ａを切り離した後に、上記実施形態と同様の手順でテープ本体２０Ａを足に貼る。
【００５１】
あるいは、図９に示すサポートテープ１０Ｂ（テープ本体２０Ｂ）のように、側部が中央部２１の左右どちらか一方のみから延びていてもよい。このサポートテープ１０Ｂでは、一つのみの側部２２Ｂは上記実施形態における側部２２よりも長いが、側部が足背の全体を包囲する必要はないので、側部２２Ｂは側部２２と同程度の長さでもよい。
【００５２】
あるいは、図１０に示すサポートテープ１０Ｃ（テープ本体２０Ｃ）のように、尾部が中央部２１の後部左側又は後部右側から一つのみ延びていてもよい。このサポートテープ１０Ｃでは、一つのみの尾部２３Ｃは上記実施形態における尾部２３よりも長いが、尾部が足首の全体を包囲する必要はないので、尾部２３Ｃは尾部２３と同程度の長さでもよい。
【００５３】
側部及び尾部が延びる方向も上記実施形態に限定されない。図１１に示すサポートテープ１０Ｄ（テープ本体２０Ｄ）では、一対の側部２２Ｄが中央部２１から真横に延びている。これは、側部２２Ｄがテープ本体２０Ｄの前後方向に延びる軸と直交する方向に延びているとも言える。尾部は真後ろではなく斜め後方（サポートテープ１０Ｄあるいは中央部２１の前後方向と交差する方向）に延びていてもよい。
【００５４】
図１２に示すサポートテープ１０Ｅでは、側部２２Ｅ及び尾部２３Ｅは共に一つのみであり、側部２２Ｅは中央部２１から真横に延びている。この変形例では側部２２Ｅ及び尾部２３Ｅが共にテープ本体２０Ｅの左側に位置しているが、これらが共にテープ本体の右側に位置してもよい。あるいは、側部２２Ｅ及び尾部２３Ｅのどちらか一方がテープ本体の左側に位置し、他方がテープ本体の右側に位置してもよい。
【００５５】
テープ本体の外縁２１ａは弧状でなく直線状であってもよい。また、外縁２１ｂが丸みを帯びていることは必須ではない。
【００５６】
剥離紙３０等の保護シートは切れ目を有さなくてもよい。切れ目を設ける場合には、上記実施形態における４種類の切れ目４１〜４４のうちの任意の１種類のみ、２種類のみ、又は３種類のみを設けてもよい。各切れ目の形状も任意であり、例えば切れ目４２が直線であったり、切れ目４１，４３，４４が曲線を有していたりしてもよい。太線５０の印刷は必須ではない。
【符号の説明】
【００５７】
１０，１０Ａ〜１０Ｅ…サポートテープ、１０，２０Ａ〜２０Ｅ…テープ本体、２１…中央部、２２，２２Ｂ，２２Ｄ，２２Ｅ…側部、２３，２３Ａ，２３Ｃ，２３Ｅ…尾部、２４…切取線、３０…剥離紙（シート）、３１〜３５…領域、４１〜４４…切れ目、５０…太線。
【図１】
0003182459.tif 000003
【図２】
0003182459.tif 000004
【図３】
0003182459.tif 000005
【図４】
0003182459.tif 000006
【図７】
0003182459.tif 000007
【図８】
0003182459.tif 000008
【図９】
0003182459.tif 000009
【図１０】
0003182459.tif 000010
【図１１】
0003182459.tif 000011
【図１２】
0003182459.tif 000012
【図５】
0003182459.tif 000013
【図６】
0003182459.tif 000014